(57)【要約】【課題】プラズマ表示装置の動的擬似輪郭を軽減すること。【解決手段】プラズマ表示装置の動的擬似輪郭を軽減する方法が提供される。その方法のステップは、次のとおりである。最初に、現在画素の階調フェーズを決定する。それから、現在画素の前のＮ個の画素のいずれか一つが、現在画素のものと同じ階調値と階調フェーズを有する場合、現在画素の階調フェーズを変更し、ここでＮは２以上の整数である。最後に、現在画素を出力する。【選択図】図５
2007148311.tif 000002
【特許請求の範囲】
【請求項１】
プラズマ表示装置の動的擬似輪郭を軽減する方法であって、
現在画素の階調フェーズを決定し、
現在画素の前のＮ個の画素の一つが、現在画素と同じ階調値と階調フェーズを有する場合、現在画素の階調フェーズを変更し、
現在画素を出力し、ここでＮが２以上の整数である方法。
【請求項２】
Ｎが５である請求項１記載の方法。
【請求項３】
現在画素の階調フェーズが第一階調フェーズと第二階調フェーズを有し、さらに第一階調フェーズと第二階調フェーズの一方を選択する請求項１記載の方法。
【請求項４】
現在画素の階調フェーズを決定するステップで、
現在画素が、第一フレーム・フィールドの第一画素である場合、第一階調フェーズを用い、
現在画素が、第一フレーム・フィールド以外のフレーム・フィールドの第一画素である場合、前のフレーム・フィールドの第一画素のもの以外の階調フェーズを用い、
現在画素が、フレーム・フィールドの第一画素以外である場合、前の画素のもの以外の階調フェーズを用いる請求項３記載の方法。
【請求項５】
現在画素の階調フェーズを変更するステップでさらに、
現在画素が第一階調フェーズである場合、現在画素の階調フェーズを第二階調フェーズに変更し、
現在画素が第二階調フェーズである場合、現在画素の階調フェーズを第一階調フェーズに変更する請求項３記載の方法。
【請求項６】
複数のパルスを連続的に印加することで第一階調フェーズを実現し、複数のバッチでパルスを印加することで第二階調フェーズを実現する請求項５記載の方法。
【請求項７】
複数のパルスを連続的に印加することで第二階調フェーズを実現し、複数のバッチのパルスを印加することで第一階調フェーズを実現する請求項５記載の方法。
【請求項８】
プラズマ表示装置の動的擬似輪郭を軽減する方法であって、
現在画素が、第一フレーム・フィールドの第一画素である場合、第一階調フェーズを用い、
現在画素が、第一フレーム・フィールド以外のフレーム・フィールドの第一画素である場合、前のフレーム・フィールドの第一画素以外のものの階調フェーズを用い、
現在画素が、フレーム・フィールドの第一画素以外である場合、前の画素のもの以外の階調フェーズを用いて、
現在画素の階調フェーズを決定し、
現在画素の前のＮ個の画素の一つが、現在画素のものと同じ階調値と階調フェーズを有する場合、現在画素の階調フェーズを変更し、
現在画素を出力し、ここでＮが２以上の整数である方法。
【請求項９】
現在画素の階調フェーズが、第一階調フェーズと第二階調フェーズを有する請求項８記載の方法。
【請求項１０】
Ｎが５である請求項８記載の方法。
【請求項１１】
現在画素の階調フェーズを変更するステップでさらに、
現在画素が第一階調フェーズにある場合、現在画素の階調フェーズを第二階調フェーズに変更し、
現在画素が第二階調フェーズにある場合、現在画素の階調フェーズを第一階調フェーズに変更する請求項８記載の方法。
【請求項１２】
複数のパルスを連続的に印加することで第一階調フェーズを実現し、複数のバッチのパルスを印加することで第二階調フェーズを実現する請求項１１記載の方法。
【請求項１３】
複数のパルスを連続的に印加することで第二階調フェーズを実現し、複数のバッチのパルスを印加することで第一階調フェーズを実現する請求項１１記載の方法。
【発明の詳細な説明】
【技術分野】
【０００１】
この発明は、プラズマ表示装置上に画像を表示する方法に関する。より詳細には、この発明は、プラズマ表示装置の動的擬似輪郭を軽減する方法に関する。
【背景技術】
【０００２】
プラズマ表示パネル（ＰＤＰ）は不活性ガスの電子放電を用いて紫外線を生成し、赤、緑および青の蛍光粉末を励起して、色画素からなる画像を表示する。ＰＤＰの出現は、中型および大型（約４０〜７０インチ）の表示装置の市場に大きな影響を及ぼしている。プラズマ表示装置は、既存の陰極線管（ＣＲＴ）テレビジョンよりかなり薄型で軽量である。プラズマ表示装置は磁界の影響を受けず、さらにデジタル・アーキテクチャ、高解像度、広視野角および平坦な表示面等の多くの利点を有し、最新のマルチメディア機器の小型で軽量という要件を満たす。
【０００３】
しかし、ＰＤＰが動画を表示する際、動的擬似輪郭と呼ばれる問題が通常発生する。既存の解決策では、図１Ａと１Ｂに示したように、フェーズＡとＢ等の二つの異なる階調フェーズを用いている。図１Ａは、同じフレーム・フィールド内にチェス盤パターンに交互に配置したフェーズＡとＢを示している。図１Ｂは、連続的なフレーム・フィールド内に、フェーズＡとＢを織り交ぜる方法を示している。図１Ａと図１Ｂのマトリクスの各セルは、図１Ａの画素Ｐ等の画素を表している。図１Ａと１Ｂの「Ａ」と「Ｂ」は、同じ階調値に対応する二つの異なる階調フェーズである。例えば、階調値６４を実現するために、フェーズＡで６４パルスが連続的に印加され、フェーズＢでは３２パルスの二つのバッチが各々印加される。図１Ａと１Ｂのこのような解決策では、交互に配置したフェーズを利用する。フェーズは、空間的および時間的に交互に配置する。つまり、フェーズＡとＢは水平方向と垂直方向の両方で同じフレーム・フィールドの画素内に交互に配置し（図１Ａ）、連続的なフレーム・フィールドの間でも交互に配置する（図１Ｂ）。階調フェーズＡとＢは、視覚焦点を均一に分布させるように割り当てる。その結果、動的擬似輪郭が効果的に軽減される。
【０００４】
図１Ａと１Ｂでは、動的擬似輪郭を軽減する解決策を提案した。しかし、プラズマ表示装置の開発中、プラズマ表示装置が適切に機能しているかどうかをテストし確認するために、テストパターンが用いられることが多い。画素格子パターンは、図２に示したように、このようなテストパターンの一つである。図２のマトリクスの各セルは、画素を表している。図２に示されているように、画素格子パターン内では、表示画素に直接隣接する画素は全て非表示である。フリッカの問題は、画素格子パターンが表示されるとき特に明らかになる。
【０００５】
画素格子パターンが表示されているとき、フリッカの問題が特に明らかになるのは、画素格子パターンがフェーズＡとＢの交互配置と同期する可能性があるためである。図３Ａ〜３Ｃは、画素格子パターンがフェーズＡとＢの交互配置と同期している状況を示している。図３Ａ〜３Ｃのマトリクスの各セルは、画素を表している。以降の議論では図３Ａ〜３Ｃを参照する。図３Ａは第一フレーム・フィールドを示しており、第一フレーム・フィールドでは画素格子パターンはフェーズＡと偶然同期している。図３Ｂは第二フレーム・フィールドを示しており、第二フレーム・フィールドでは画素格子パターンはフェーズＢと偶然同期している。そして、図３Ｃは連続的なフレーム・フィールドを示しており、画素パターンを表示し、交互配置したフェーズを同時に取り入れている。画素格子パターンの構造のため、第一フレーム・フィールドの表示画素は全てフェーズＡにあり、第二フレーム・フィールドの表示画素は全てフェーズＢにあるといった具合になる。このような繰り返しの出現が、フリッカ問題の主な原因である。
【発明の開示】
【発明が解決しようとする課題】
【０００６】
従って、この発明は、プラズマ表示装置の動的擬似輪郭を軽減する方法を対象とする。この方法は、プラズマ表示装置が画素格子パターン等の所定の画像を表示しているときも、フリッカを軽減できる。
【課題を解決するための手段】
【０００７】
この発明の一実施例によると、プラズマ表示装置の動的擬似輪郭を軽減する方法が提供される。この方法は、次のステップを有する。最初に、現在画素の階調フェーズを決定する。それから、現在画素の前のＮ個の画素のいずれか一つが、現在画素と同じ階調値および同じ階調フェーズを有する場合、現在画素の階調フェーズを変更する。ここで、Ｎは２以上の整数である。最後に、現在画素を出力する。
【０００８】
この発明の一実施例では、現在画素の階調フェーズを決定するステップは、さらに次のステップを有する。最初に、現在画素が第一フレーム・フィールドの第一画素であれば、第一階調フェーズを用いる。第二に、現在画素が第一フレーム・フィールド以外のフレーム・フィールドの第一画素であれば、前のフレーム・フィールドの第一画素のもの以外の階調フェーズを用いる。そして、最後に、現在画素がフレーム・フィールドの第一画素以外であれば、前の画素のもの以外の階調フェーズを用いる。
【発明の効果】
【０００９】
この発明の方法は、現在画素の階調フェーズと階調値を前の画素のものと自動的に比較し、現在画素の階調フェーズを条件付きで変更し、画素の階調フェーズをより効果的に交互配置する。その結果、視覚焦点のバランスがとれる。動的擬似輪郭の問題は軽減される。ＰＤＰが画素格子パターン等の所定の画像を表示しているときのフリッカの問題も解決される。
【発明を実施するための最良の形態】
【００１０】
これから、この発明の好ましい実施形態について詳しく参照するが、その実施例は添付の図面に示されている。同一または同様の部品を参照するために、図面および説明では可能な限り同じ参照番号を用いる。
【００１１】
この実施例では、この発明のプラズマ表示装置の動的擬似輪郭を軽減する方法は、入力された各画素の階調値と階調フェーズを前の５個の画素のものと比較する。この実施例は入力された各画素を前の５個の画素と比較しているが、当業者には明らかなように、入力された各画素を前の少なくとも２画素と比較するだけで十分である。前の５個の画素のいずれか一つが現在画素と同じ階調値および同じ階調フェーズを有する場合、現在画素の階調フェーズを変更する（例えば、フェーズＡからフェーズＢに変更するか、フェーズＢからフェーズＡに変更する）。図４Ａ〜４Ｄを参照すると、この実施例が示されている。図４Ａ〜４Ｄのマトリクスの各セルは、画素を表している。図４ＡはＰＤＰが表示したフレーム・フィールド内の６個の画素を示しており、それらは画素１〜画素６として示されている。この実施例の方法は、従来の技術の交互配置したフェーズＡとＢに基づいている。つまり、画素１はフェーズＡにある。画素２は、フェーズＢにある。画素３は、フェーズＡにある等となる。画素５はフェーズＡにあるので、画素６が最初に入力されると、画素６（現在画素）はフェーズＢになる。ここで、画素６の階調値は２０であると仮定する。従って、画素６は、図４Ａに示されているように「Ｂ２０」として示される。
【００１２】
最初に、この方法は画素６と画素５を比較する。画素６と画素５の階調値は異なるので、この方法は次のステップに進む。次のステップでは、この方法は画素６と画素４を比較する。画素６と画素４の階調値は異なるので、この方法は次のステップに進む。同様に、次のステップでは、この方法は画素６と画素３を比較する。画素６と画素３の階調値は異なるので、この方法は次のステップに進む。次のステップでは、この方法は画素６と画素２を比較する。画素６と画素２は同じ階調値と同じ階調フェーズを有する。従って、この方法は、ＢからＡに画素６の階調フェーズを変更し、比較を終了する。つまり、画素６は、図４Ｂに示されているように「Ａ２０」になる。
【００１３】
図４Ａと４Ｂに示したように画素６の処理後、図４Ｃに示したように、さらに画素７を処理する。画素７の階調値は１０であり、画素７はフェーズＡにあると仮定する。この実施例では、画素６が「Ｂ２０」から「Ａ２０」に変更されているので、その代わりに画素７の初期のフェーズはＢとなる。この方法は、さらにその５個前の画素と画素７を比較する。画素４と画素７は、同じ階調値１０と同じ階調フェーズＢを有する。その結果、画素７のフェーズは、図４Ｄで示されているようにＢからＡに変更される。
【００１４】
以上の実施例のステップは、図５の流れとしてより詳細に表すことができる。最初に、現在画素の初期の階調フェーズを決定する（ステップ５００）。例えば、現在画素が第一フレーム・フィールドの第一画素であれば、第一階調フェーズ（例えばフェーズＡ）を用いる（ステップ５０１）。現在画素が、例えば第二フレーム・フィールドの第一画素または第三フレーム・フィールドの第一画素など、第一フレーム・フィールド以外のフレーム・フィールドの第一画素であれば、前のフレーム・フィールドの第一画素のもの以外の階調フェーズを用いる（ステップ５０２）。現在画素が、例えばフレーム・フィールドの第二画素またはフレーム・フィールドの第三画素など、フレーム・フィールドの第一画素以外であれば、前の画素のもの以外の階調フェーズを用いる（ステップ５０３）。例えば、前の画素がフェーズＡにあれば、現在画素の初期のフェーズとしてＢを用いる。初期のフェーズを決定した後、現在画素の前のＮ個の画素のいずれか一つが、現在画素のものと同じ階調値および階調フェーズを有する場合（例えば図４Ａ〜４Ｄ）、現在画素の階調フェーズを変更する。ここで、Ｎは２以上の整数である（ステップ５１０）。そして、最後に現在画素を出力する（ステップ５２０）。
【００１５】
図６は、画素格子パターンに適用したこの発明の一実施例によるプラズマ表示装置の動的擬似輪郭を軽減する方法を示している。図６に見られるように、この方法は画素格子パターンにおいても階調フェーズを交互配置する。第一画素がフェーズＡにあれば、第三画素はフェーズＢになり、第五画素はフェーズＡになる。その結果、フェーズＡとＢは空間的にも時間的にも交互配置されることとなる。さらに、この方法は、画素格子パターンには限定されない。この方法は、任意の画像に適用し、フェーズを自動的に比較して交互配置できる。従って、フェーズは、固定された規則に従っては交互配置されない。そして、所定の画像によるフリッカの問題を解決できる。
【産業上の利用可能性】
【００１６】
以上の議論に見られるように、この発明の方法は、従来の技術の固定された交互配置パターンは用いていない。その代わり、この方法は、現在画素の階調フェーズと階調値を前の画素のものと自動的に比較し、現在画素の階調フェーズを条件付きで変更し、画素の階調フェーズをより効率的に交互配置する。その結果、視覚焦点のバランスがとれる。動的擬似輪郭の問題は軽減される。ＰＤＰが画素格子パターン等の所定の画像を表示しているときのフリッカの問題も解決される。
【００１７】
当業者には明らかなように、発明の範囲または精神から逸脱することなく、この発明の構造に様々な修正および変更を行うことができる。以上の観点から、添付の請求項およびそれらと等価なものの範囲内にある限り、この発明はその修正および変更を含むものとする。
【００１８】
添付の図面は、発明をさらに理解するために含められ、この明細書に組み込まれ、その一部を構成する。図面は発明の実施例を示し、開示内容と共に、発明の原理の説明に役立つ。
【図面の簡単な説明】
【００１９】
【図１Ａ】動的擬似輪郭を軽減する既存の方法を示す概略図である。
【図１Ｂ】動的擬似輪郭を軽減する既存の方法を示す概略図である。
【図２】プラズマ表示装置をテストするために用いられる画素格子パターンを示す概略図である。
【図３Ａ】画素格子パターンで用いられる動的擬似輪郭を軽減する既存の方法を示す概略図である。
【図３Ｂ】画素格子パターンで用いられる動的擬似輪郭を軽減する既存の方法を示す概略図である。
【図３Ｃ】画素格子パターンで用いられる動的擬似輪郭を軽減する既存の方法を示す概略図である。
【図４Ａ】この発明の一実施形態によるプラズマ表示装置の動的擬似輪郭を軽減する方法の一例を示す概略図である。
【図４Ｂ】この発明の一実施形態によるプラズマ表示装置の動的擬似輪郭を軽減する方法の一例を示す概略図である。
【図４Ｃ】この発明の一実施形態によるプラズマ表示装置の動的擬似輪郭を軽減する方法の一例を示す概略図である。
【図４Ｄ】この発明の一実施形態によるプラズマ表示装置の動的擬似輪郭を軽減する方法の一例を示す概略図である。
【図５】この発明の一実施形態によるプラズマ表示装置の動的擬似輪郭を軽減する方法の流れ図である。
【図６】画素格子パターンで用いられるこの発明の一実施形態によるプラズマ表示装置の動的擬似輪郭を軽減する方法の一例を示す概略図である。
【符号の説明】
【００２０】
１〜７ 画素
Ａ、Ｂ 階調フェーズ
Ｐ     画素
【図１Ａ】
2007148311.tif 000003
【図１Ｂ】
2007148311.tif 000004
【図２】
2007148311.tif 000005
【図３Ａ】
2007148311.tif 000006
【図３Ｂ】
2007148311.tif 000007
【図３Ｃ】
2007148311.tif 000008
【図４Ａ】
2007148311.tif 000009
【図４Ｂ】
2007148311.tif 000010
【図４Ｃ】
2007148311.tif 000011
【図４Ｄ】
2007148311.tif 000012
【図５】
2007148311.tif 000013
【図６】
2007148311.tif 000014